(57)【要約】　　　（修正有）【課題】　靴甲被内面にパッドを設けて足後部等のフィット性・安定性を高めることができ、また、パッドによる足の押圧にめりはりを効かせることができる靴を提供する。【解決手段】　足の内側における内側踝ｍ後方の第１部分及び土踏まずのアーチ部である第２部分を押圧する内側パッド１０と、足の外側における外側踝ｍ’後方の第３部分及び踵前方の第４部分を押圧する外側パッド２０を靴１の甲被３内面に設ける。内側パッド１０は、第１部分に対応する凸部１１と第２部分に対応する凸部１２とこれら凸部間で厚さが薄くされた凹部１３とを有する。外側パッド２０は、第３部分に対応する凸部２１と第４部分に対応する凸部２２とこれら凸部間で厚さが薄くされた凹部２３とを有する。【選択図】　　　図１０
0003100215.tif 000002
【実用新案登録請求の範囲】
【請求項１】
足の内側における内側踝後方の第１部分と、足の内側における土踏まずのアーチ部である第２部分と、足の外側における外側踝後方の第３部分と、足の外側における踵前方の第４部分との内の少なくとも一の部分を押圧するクッション性を有する凸状のパッドを甲被内面に設けたことを特徴とする靴。
【請求項２】
前記パッドを、前記第１、第２、第３及び第４部分の全てに対し設けた請求項１記載の靴。
【請求項３】
前記第１及び第２部分に対応するパッドは、第１部分と第２部分との間にパッド厚を薄くした凹部を有する内側パッドとして一体に形成され、また、前記第３及び第４部分に対応するパッドは、第３部分と第４部分との間にパッド厚を薄くした凹部を有する外側パッドとして一体に形成される請求項２記載の靴。
【請求項４】
前記パッドは断面ほぼ半球形状に突出する請求項１〜３のいずれか記載の靴。
【請求項５】
前記パッドの厚さは、第１部分と第２部分とを結ぶ方向及び第３部分と第４部分とを結ぶ方向に沿って常に変化する請求項１〜４のいずれか記載の靴。
【請求項６】
前記第１部分に対応するパッドの最大厚と第２部分に対応するパッドの最大厚が異なると共に、前記第３部分に対応するパッドの最大厚と第４部分に対応するパッドの最大厚が異なる請求項２〜５のいずれか記載の靴。
【請求項７】
前記第１部分に対応するパッドの最大厚は、第２分部に対応するパッドの最大厚より薄く、前記第３部分に対応するパッドの最大厚は、第４部分に対応するパッドの最大厚より薄い請求項６記載の靴。
【請求項８】
前記第１部分に対応するパッドの最大厚と第３分部に対応するパッドの最大厚が異なると共に、前記第２部分に対応するパッドの最大厚と第４部分に対応するパッドの最大厚が異なる請求項２〜７のいずれか記載の靴。
【請求項９】
前記第１部分に対応するパッドの最大厚は、第３部分に対応するパッドの最大厚より厚く、前記第２部分に対応するパッドの最大厚は、第４部分に対応するパッドの最大厚より厚い請求項８記載の靴。
【請求項１０】
当該靴は運動用のものである請求項１〜９のいずれか記載の靴。
【考案の詳細な説明】
【技術分野】
【０００１】
　本考案は、靴、特に足後部の安定性・フィット性を高めることができる運動靴に関するものである。
【背景技術】
【０００２】
　従来、スポンジ等を付加してフィッティング感を高めた運動靴として、履き口の上端部に厚さ１０ｍｍ程度のスポンジを、靴内側から後部を通って外側へと連続して一体に付設したものが知られている。
【考案の開示】
【考案が解決しようとする課題】
【０００３】
　しかしながら、足の履き口上端部対応部分以外の部分、例えば足後部を押圧することができるような靴はなく、足後部のフィット性が悪く、該部分が不安定で浮きやすいといった問題が生じる場合があった。また、上記した履き口部のスポンジは、厚さが均一で押圧力も均一となるため、押さえにめりはりがないといった問題もあった。
【０００４】
　本考案は、以上のような点に着目してなされたもので、その目的は、足後部等のフィット性・安定性を高めることができ、また、足の押圧にめりはりを効かせることができる靴を提供することにある。
【課題を解決するための手段】
【０００５】
　本考案によれば、上記課題を解決するため、足の内側における内側踝後方の第１部分と、足の内側における土踏まずのアーチ部である第２部分と、足の外側における外側踝後方の第３部分と、足の外側における踵前方の第４部分との内の少なくとも一の部分を押圧するクッション性を有する凸状のパッドを甲被内面に設けたことを特徴とする靴が提供される。
【０００６】
　本考案では、靴の甲被内面にパッドを付設して、足の第１〜第４部分（図４及び図５参照）の内の少なくとも一の部分を押圧させることができるが。当該パッドを、前記第１〜第４部分の全てに対し設けることが望ましい。かかるパッドによって、足の所定部位を押圧することにより、足後部、特に踵部分を安定させ、靴にフィットさせることができる。
【０００７】
　パッドとしては、汎用ポリウレタンスポンジ、特殊粘弾性スポンジ等のスポンジを所定の形状に成型したもの外被で被うようにしたもの等を好ましく用いることができ、これを、靴の甲被内面に縫い付けるなどにより一体に取り付けることができる。
【０００８】
　本考案では、前記第１及び第２部分に対応するパッドは、第１部分と第２部分との間にパッド厚を薄くした凹部を有する内側パッドとして一体に形成され、また、前記第３及び第４部分に対応するパッドは、第３部分と第４部分との間にパッド厚を薄くした凹部を有する外側パッドとして一体に形成され得る。この場合、内側の第１及び第２部分押圧用のパッドを別々ではなく一つの内側パッドとして作製できるため、パッドの靴甲被への取付け工程も二つ別々の場合に比べ簡易化することができる。外側の第３及び第４部分押圧用のパッドについても同様である。
【０００９】
　本考案では、前記パッドを断面ほぼ半球形状に突出するように作製できる。また、パッドの厚さは、第１部分と第２部分とを結ぶ方向及び第３部分と第４部分とを結ぶ方向に沿って常に変化する、すなわち一定とならないように設定することができる。これにより、押圧力が不均一となってめりはりを効かせることができる。
【００１０】
　本考案では、第１〜第４部分に対応する各パッドの最大厚をそれぞれ同一の厚さにすることもできるが、足に対する安定性やフィット性を高めるため、前記第１部分に対応するパッドの最大厚と第２部分に対応するパッドの最大厚が異なると共に、前記第３部分に対応するパッドの最大厚と第４部分に対応するパッドの最大厚が異なるように設計することが望ましい。更に、前記第１部分に対応するパッドの最大厚が、第２部分に対応するパッドの最大厚より薄く、前記第３部分に対応するパッドの最大厚が、第４部分に対応するパッドの最大厚より薄くなるように設定することができる。なお、これとは逆に、第１部分対応パッドの最大厚を第２部分対応パッドの最大厚より厚くしたり、第３部分対応パッドの最大厚を第４部分対応パッドの最大厚より厚くすることも可能である。
【００１１】
　また、前記第１部分に対応するパッドの最大厚と第３分部に対応するパッドの最大厚が異なると共に、前記第２部分に対応するパッドの最大厚と第４部分に対応するパッドの最大厚が異なるように設計することもでき、更に、前記第１部分に対応するパッドの最大厚が、第３部分に対応するパッドの最大厚より厚く、前記第２部分に対応するパッドの最大厚が、第４部分に対応するパッドの最大厚より厚くなるように設定することができる。これにより、足後部の安定性・フィット性を更に高めることができる。なお、逆に、第１部分対応パッドの最大厚を第３部分対応パッドの最大厚より薄くしたり、第２部分対応パッドの最大厚を第４部分対応パッドの最大厚より薄くすることも可能である。
【考案を実施するための最良の形態】
【００１２】
　以下、本考案の好適な実施形態を添付図面に基づいて説明する。
【００１３】
　図１及び図２は、本考案に係る靴（スポーツシューズ）１を便宜的に縦に二分割して、その内部の内側及び外側を示している。靴１は、底体２と甲被３とから基本構成され、甲被３内面の内側及び外側にクッション性を有する内側パッド１０及び外側パッド２０が一体に付設されている。
【００１４】
　図３及び図４は、靴１を履いた場合に、内側パッド１０及び外側パッド２０が足のどの部位に当接するかを示す説明図である。内側パッド１０は、足の内側における内側踝ｍの後方から土踏まずのアーチ部分にかけて斜めに拡張し、また、外側パッド２０は、足の外側における外側踝ｍ’の後方から踵の前方にかけて斜めに拡張するように、靴１内に取り付けられる。
【００１５】
　図５及び図６は内側パッド１０の斜視図及び縦断面図であり、図７及び図８は外側パッド２０の斜視図及び縦断面図である。内側パッド１０は、内側踝ｍの後方部分（第１部分）を押圧すべく凸状に厚くされた第１凸部１１と、土踏まずアーチ部分（第２部分）を押圧すべく厚くされた第２凸部１２と、これら凸部間で相対的に窪む凹部１３とを有する。第１及び第２凸部１１及び１２はいずれも、断面が段状ではなく湾曲してほぼ半球状に突出しており（第１凸部１１の横断面を示す図９等参照）、従って、各凸部１１、１２の縦横に沿って厚さは一定ではなく常に変化する。また、第２凸部１２の頂部（厚さが最も厚くなる部分）は、第１凸部１１の頂部よりも若干高く設定される。
【００１６】
　外側パッド２０は、外側踝ｍ’の後方部分（第３部分）を押圧すべく厚くされた第３凸部２１と、踵前方部分（第４部分）を押圧すべく厚くされた第４凸部２２と、これら凸部間の凹部２３とを有する。第３及び第４凸部２１及び２２も上記の第１及び第２凸部１１、１２と同様に、断面ほぼ半球状に突出する。第４凸部２２の頂部は、第３凸部２１の頂部よりも若干高く設定される。また、第１及び第２凸部１１、１２の各頂部は、第３及び第４凸部２１、２２の各頂部よりもそれぞれ若干高く設定される。一例として、好ましくは、第１凸部頂部厚は約１９ｍｍ、第２凸部頂部厚は約２５ｍｍ、第３凸部頂部厚は約１５ｍｍ、第４凸部頂部厚は約１９ｍｍ、及び、凹部１３、２３の厚さは９ｍｍとされる。　
【００１７】
　内側及び外側パッド１０、２０は、上記凹凸を有する所定の形状に形成したスポンジを外被で被うようにして靴甲被３の内面に縫い付けるなどにより甲被３に付設することができる。また、内側及び外側パッド１０、２０の凹部１３、２３に対応する足部分は、特に押圧を必要としないため、パッド１０を第１部分押圧用と第２部分押圧用の二つに分けると共に、パッド２０を第３部分押圧用と第４部分押圧用の二つに分けてそれぞれ作製することができる。しかし、その場合、四つのパッドを甲被３の内面に取り付けなければならず、二つのパッド１０、２０で済む場合に比べパッドの取付けに手間がかかる。
【００１８】
　以上の靴１では、内側パッド１０及び外側パッド２０の押圧作用により、足後部、特に踵部分が安定し、また、各パッド１０、２０の凸部１１、１２、２１、２２と凹部１３、２３が成す凹凸、及び各凸部の一定ではない厚みによって、押圧強度がパッド全体で均一ではなく、そのため押さえにめりはりが生じ、良好なフィット感を得ることができる。なお、図１０は、靴１に足を入れる前の内外パッド１０、２０の凹凸を便宜的に示し、図１１はそこに足を入れた後のパッド１０、２０を示す。
【００１９】
　以上では、各凸部１１、１２、２１、２２の最大厚が、凸部１２＞凸部１１、凸部２２＞２１、凸部１１＞凸部２１、凸部１２＞凸部２２、凸部１１＝凸部２２となる例を挙げたが、本考案はこれに限定されるものではなく、例えば、上記最大厚が凸部１２＜凸部１１、凸部２２＜凸部２１、凸部１１＜凸部２１、凸部１２＜凸部２２等となっていてもよい。
【図面の簡単な説明】
【００２０】
【図１】靴を便宜的に縦に二分割してその内部内側を示す斜視説明図である。
【図２】靴を便宜的に縦に二分割してその内部外側を示す斜視説明図である。
【図３】内側パッドが当接する足の内側部分を示すための説明図である。
【図４】外側パッドが当接する足の外側部分を示すための説明図である。
【図５】内側パッドの斜視図である。
【図６】図５のＡ−Ａに沿う内側パッドの縦断面図である。
【図７】外側パッドの斜視図である。
【図８】図７のＢ−Ｂに沿う外側パッドの縦断面図である。
【図９】図５のＣ−Ｃに沿う内側パッドの第１凸部の横断面図である。
【図１０】履く前（初期状態）の靴内の内側及び外側パッドを示す説明図である。
【図１１】履いた後の靴内の内側及び外側パッドと足を示す説明図である。
【符号の説明】
【００２１】
　１　靴
　１０　内側パッド
　１１　第１凸部
　１２　第２凸部
　１３　凹部
　２０　外側パッド
　２１　第３凸部
　２２　第４凸部
　２３　凹部
【図１】
0003100215.tif 000003
【図２】
0003100215.tif 000004
【図３】
0003100215.tif 000005
【図４】
0003100215.tif 000006
【図５】
0003100215.tif 000007
【図６】
0003100215.tif 000008
【図７】
0003100215.tif 000009
【図８】
0003100215.tif 000010
【図９】
0003100215.tif 000011
【図１０】
0003100215.tif 000012
【図１１】
0003100215.tif 000013